(57)【要約】それぞれ液晶セル（１０７，１０８）を主体とする第１，第２の液晶パネル（１０１，１０２）を互いに背合わせに配置し、その各液晶パネル（１０１，１０２）を視認可能にする。その第１の液晶パネル（１０１）と第２の液晶パネル（１０２）の間に導光板（１１２）を配置し、その一端面（１１２ｃ）に隣接して光源（１１４）を配置し、第１の液晶パネル（１０１）と導光板（１１２）との間に偏光分離器（１１０）を配置する。そして、導光板（１１２）から射出される光を偏光分離器（１１０）で２つの偏光した光に分離し、その一方を第１の液晶パネル（１０１）へ、他方を導光板（１１２）を通して第２の液晶パネル（１０２）へそれぞれ射出させる。それにより、両面表示の液晶表示装置を薄型化し、且つ消費電力を低減する。
2003029884.tif 000002
【特許請求の範囲】
【請求項１】
それぞれ２枚の透明基板で液晶層を挟持した液晶セルを主体とする第１，第２の液晶パネルを互いに背合わせに配置し、該第１，第２の液晶パネルをそれぞれ視認可能にした液晶表示装置において、
前記第１の液晶パネルと第２の液晶パネルの間に導光板を配置し、
その導光板の少なくとも一端面に隣接して光源を配置し、
前記第１の液晶パネルと前記導光板との間に偏光分離器を配置し、
前記導光板から射出される光を前記偏光分離器で２つの偏光した光に分離し、一方の偏光した光は前記第１の液晶パネルへ射出し、他方の偏光した光は前記導光板を通して前記第２の液晶パネルへ射出するようにしたことを特徴とする液晶表示装置。
【請求項２】
請求の範囲第１項に記載の液晶表示装置において、
前記第１の液晶パネルと前記第２の液晶パネルは、それぞれ前記液晶セルの両側に偏光板を配置しており、
前記偏光分離器は、振動方向が互いに直交する一方の直線偏光成分を透過する透過偏光軸と、他方の直線偏光成分を反射する反射偏光軸とを有し、前記透過偏光軸は、前記第１の液晶パネルの前記偏光分離器に面する側の偏光板の透過偏光軸にほぼ一致し、前記反射偏光軸は、前記第２の液晶パネルの前記導光板に面する側の偏光板の透過偏光軸とほぼ一致するように配置されたことを特徴とする液晶表示装置。
【請求項３】
請求の範囲第１項に記載の液晶表示装置において、
前記第２の液晶パネルと前記導光板との間に半透過反射板を配置し、
前記導光板から射出される光を前記偏光分離器で２つの偏光した光に分離し、一方の偏光した光は前記第１の液晶パネルへ射出し、他方の偏光した光は前記導光板と前記半透過反射板を通して前記第２の液晶パネルへ射出するようにしたことを特徴とする液晶表示装置。
【請求項４】
請求の範囲第３項に記載の液晶表示装置において、
前記第１の液晶パネルと前記第２の液晶パネルは、それぞれ前記液晶セルの両側に偏光板を配置しており、
前記偏光分離器は、振動方向が互いに直交する一方の直線偏光成分を透過する透過偏光軸と、他方の直線偏光成分を反射する反射偏光軸とを有し、前記透過偏光軸は、前記第１の液晶パネルの前記偏光分離器に面する側の偏光板の透過偏光軸にほぼ一致し、前記反射偏光軸は、前記第２の液晶パネルの前記半透過反射板に面する側の偏光板の透過偏光軸とほぼ一致するように配置されたことを特徴とする液晶表示装置。
【請求項５】
請求の範囲第１項乃至第４項のいずれか一項に記載の液晶表示装置において、
前記光源を複数の発光素子で構成し、前記第１の液晶パネルで表示するときと前記第２の液晶パネルで表示するときとで、発光する発光素子の数を異ならせるようにしたことを特徴とする液晶表示装置。
【請求項６】
請求の範囲第５項に記載の液晶表示装置において、
前記第２の液晶パネルの表示面積が前記第１の液晶パネルの表示面積より小さいことを特徴とする液晶表示装置。
【請求項７】
請求の範囲第６項に記載の液晶表示装置において、
前記第１の液晶パネルで表示する場合には、前記複数の発光素子を全て発光させ、前記第２の液晶パネルで表示する場合には、前記複数の発光素子のうち該第２の液晶パネルの表示面積を照明するのに十分な個数だけを発光させるようにしたことを特徴とする液晶表示装置。
【請求項８】
それぞれ２枚の透明基板で液晶層を挟持した液晶セルを主体とする第１，第２の液晶パネルを互いに背合わせに配置し、該第１，第２の液晶パネルをそれぞれ視認可能にした液晶表示装置において、
前記第１の液晶パネルと第２の液晶パネルの間に導光板を配置し、
その導光板の少なくとも一端面に隣接して光源を配置し、
前記第１の液晶パネルと前記導光板との間に第１の偏光分離器を、前記第２の液晶パネルと前記導光板との間に第２の偏光分離器を、それぞれ配置し、
前記導光板から射出される光を前記第１，第２の偏光分離器でそれぞれ２つの偏光した光に分離し、その各一方の偏光した光は前記第１の液晶パネル側へ射出し、各他方の偏光した光は前記第２の液晶パネル側へ射出するようにするとともに、
前記光源を複数の発光素子で構成し、前記第１の液晶パネルで表示するときと前記第２の液晶パネルで表示するときとで、発光する発光素子の数を異ならせるようにたことを特徴とする液晶表示装置。
【請求項９】
請求の範囲第８項に記載の液晶表示装置において、
前記第１の液晶パネルと前記第２の液晶パネルは、それぞれ前記液晶セルの両側に偏光板を配置しており、
前記第１の偏光分離器と前記第２の偏光分離器は、それぞれ振動方向が互いに直交する一方の直線偏光成分を透過する透過偏光軸と、他方の直線偏光成分を反射する反射偏光軸とを有し、互いにその透過偏光軸が直交し、前記第１の偏光分離器の透過偏光軸は、前記第１の液晶パネルの該第１の偏光分離器に面する側の偏光板の透過偏光軸にほぼ一致し、前記第２の偏光分離器の透過偏光軸は、前記第２の液晶パネルの該第２の偏光分離器に面する側の偏光板の透過偏光軸とほぼ一致するように配置されたことを特徴とする液晶表示装置。
【請求項１０】
請求の範囲第８項又は第９項に記載の液晶表示装置において、
前記第２の液晶パネルの表示面積が前記第１の液晶パネルの表示面積より小さいことを特徴とする液晶表示装置。
【請求項１１】
請求の範囲第１０項に記載の液晶表示装置において、
前記第１の液晶パネルで表示する場合には、前記複数の発光素子を全て発光させ、前記第２の液晶パネルで表示する場合には、前記複数の発光素子のうち該第２の液晶パネルの表示面積を照明するのに十分な個数だけを発光させるようにしたことを特徴とする液晶表示装置。
【発明の詳細な説明】
技術分野
この発明は液晶表示装置に関し、特に２枚の液晶パネルを互いに背合わせに配置し、その各液晶パネルを視認可能にした両面表示の液晶表示装置に関するものである。
背景技術
液晶表示装置は、低消費電力で薄型、軽量な表示装置として様々な分野で急速に発展してきた。特に近年、発展が著しい携帯電話器ではそのすべてに液晶表示装置が採用されている。
携帯電話器に採用される液晶表示装置には、特に低消費電力を重視して電池寿命を長くするために反射型の液晶表示装置が用いられる場合が多い。さらに、そのほとんどがバックライトを装備した半透過型の液晶表示装置である。これは、液晶表示装置が自発光型の表示装置でないために、充分な外光を得ることができない暗い環境では表示を視認しにくくなってしまうので、バックライトの照明により視認性を向上しようとするものである。
また、電子メールなどの情報通信が発展するとともに液晶表示画面も大きくなり、携帯電話器が大型化してきている。そこで、液晶画面を保護する利点と携帯性の向上する利点を備えた折り畳み式の携帯電話器が開発されている。
この折り畳み式の携帯電話器では、通常は折り畳んでいるために現在時刻の確認や着信表示などの情報を得るたびに電話器を開いて確認する必要があった。このような不便を解消するために、最近の携帯電話器では第１の液晶パネルとは別に、折り畳んだ状態でも視認できる位置に第２の液晶パネルを配置し、そこに各種情報を常に表示するようになってきた。
その場合、携帯電話を開いた状態で使用する第１の液晶パネルと折り畳んだ状態で使用する第２の液晶パネルは、共に暗い環境でも使用できる必要があるため、バックライトを備えた半透過型の液晶パネルが使用されている。
第１３図は、従来用いられているこの種の携帯電話器の構造例を示している。この携帯電話器１０００は、本体部１１００と表示部１２００とがヒンジ部１３００によって開閉可能に回動結合されている。そして、本体部１１００の上面にはキーボード１１０９を備え、表示部１２００には第１の液晶表示装置１１０１と第２の液晶表示装置１１０２が背合わせに配置されて、両面表示の表示部を構成している。
その第１の液晶表示装置１１０１は第１の液晶パネル１１０３と第１のバックライト１１０４で構成されており、第２の液晶表示装置１１０２は第２の液晶パネル１１０５と第２のバックライト１１０６で構成されている。また、表示部１２００の筐体の内側（図で右側）の面と外側（図で左側）の面には、それぞれ液晶パネル１１０３，１１０５を視認できるように、第１の風防窓１１０７と第２の風防窓１１０８を設けている。
この第１３図に示す携帯電話器１０００による表示機能について説明する。使用者がこの携帯電話器１０００を使用するときには、本体部１１００に折り重なっている表示部１２００を矢示方向へ回動させて開く。この場合には、第１の液晶表示装置１１０１の液晶パネル１１０３が表示し、第１のバックライト１１０４が点灯する。このとき、第２の液晶表示装置１１０２の液晶パネル１１０５は表示しているが、第２のバックライト１１０６は消灯している。そこで、使用者は、第１の液晶表示装置１１０１の表示を視認しながら、本体部１１００のキーボード１１０９を操作することができる。
次に、使用者が携帯電話器１０００を折り畳んで携帯する場合には、表示部１２００を矢示と反対方向に回動させて本体部１１００に重なるように折り畳むと同時に、第１の液晶表示装置１１０１の液晶パネル１１０３の表示を停止し、第１のバックライト１１０４も消灯する。一方で、第２の液晶表示装置１１０２の液晶パネル１１０５を表示したまま第２のバックライト１１０６を点灯する。なお、この第２のバックライト１１０６は数十秒後に消灯する。また、第２のバックライト１１０６は着信時などには点灯し、使用者がキーなどを押した場合にも点灯する。
ところが、このような従来の携帯電話器では、２つの液晶表示装置を用いているために消費電力が多くなってしまうという問題がある。また、バックライトの光源を各液晶表示装置が利用できるのは、各液晶表示装置の偏光板を透過する偏光成分だけであり、利用効率は最大で５０％である。そのバックライトがそれぞれの液晶表示装置に装備されているため、その各バックライトの５０％の光が各液晶表示装置の偏光板に吸収されて無駄になっている。つまり所望の輝度を満たすためには使用する電力が１個の液晶表示装置を使用する場合の２倍必要になってしまう。
また、２つの液晶表示装置を背中合わせに配置するために、表示部の厚みが増し、携帯性に欠けるという問題もある。例えば、第１３図に示した携帯電話器１０００の場合、第１の液晶表示装置１１０１の液晶パネル１１０３の厚みは１．５ｍｍであり、第１のバックライト１１０４の厚みは１ｍｍであり、総厚は２．５ｍｍとなる。第２の液晶表示装置１１０２は第１の液晶表示装置１１０１と同構造であるため略同じ厚さになるので、２つの液晶装置を背中合わせに重ねると５ｍｍ程度の厚さになってしまう。さらに支持枠などの厚さが加わるために携帯電話器としては非常に厚いものになってしまう。
このように、従来の両面表示が可能な液晶表示装置では、バックライトの光源の光の５０％以上が無駄になって消費電力が倍増したり、それを装備する電子機器の表示部の厚さが厚くなり、携帯性を損なうという問題がある。
発明の開示
この発明は、これらの問題を解決するためになされたものであり、両面表示が可能な液晶表示装置の厚さを薄くして、それを装備する電子機器の携帯性を高められるようにするとともに、バックライトの光の利用効率を高めて消費電力を低減することを目的とする。
そのためこの発明は、それぞれ２枚の透明基板で液晶層を挟持した液晶セルを主体とする第１，第２の液晶パネルを互いに背合わせに配置し、該第１，第２の液晶パネルをそれぞれ視認可能にした液晶表示装置を、次のように構成する。
すなわち、上記第１の液晶パネルと第２の液晶パネルの間に導光板を配置し、その導光板の少なくとも一端面に隣接して光源を配置し、上記第１の液晶パネルと導光板との間に偏光分離器を配置する。
そして、上記導光板から射出される光を上記偏光分離器で２つの偏光した光に分離し、一方の偏光した光は第１の液晶パネルへ射出し、他方の偏光した光は導光板を通して第２の液晶パネルへ射出するようにしたものである。
さらに、上記第１の液晶パネルと第２の液晶パネルが、それぞれ上記液晶セルの両側に偏光板を配置している場合、上記偏光分離器は、振動方向が互いに直交する一方の直線偏光成分を透過する透過偏光軸と、他方の直線偏光成分を反射する反射偏光軸とを有するが、その透過偏光軸を、第１の液晶パネルの偏光分離器に面する側の偏光板の透過偏光軸にほぼ一致させ、反射偏光軸を、第２の液晶パネルの導光板に面する側の偏光板の透過偏光軸とほぼ一致させるように配置するとよい。
また、上記第２の液晶パネルと前記導光板との間に偏光性のない半透過反射板を配置し、上記導光板から射出される光を上記偏光分離器で２つの偏光した光に分離し、一方の偏光した光は第１の液晶パネルへ射出し、他方の偏光した光は上記導光板と半透過反射板を通して前記第２の液晶パネルへ射出するようにしてもよい。
その場合、上記偏光分離器は、その反射偏光軸が第２の液晶パネルの上記半透過反射板に面する側の偏光板の透過偏光軸とほぼ一致するように配置すればよい。
これらの液晶表示装置において、上記光源を複数の発光素子で構成し、第１の液晶パネルで表示するときと第２の液晶パネルで表示するときとで、発光する発光素子の数を異ならせるようにすることができる。その場合、上記第２の液晶パネルの表示面積を上記第１の液晶パネルの表示面積より小さくするとよい。
そしてさらに、上記第１の液晶パネルで表示する場合には、上記複数の発光素子を全て発光させ、上記第２の液晶パネルで表示する場合には、上記複数の発光素子のうち第２の液晶パネルの表示面積を照明するのに十分な個数だけを発光させるようにすればよい。
また、上記第１の液晶パネルと導光板との間に第１の偏光分離器を、第２の液晶パネルと導光板との間に第２の偏光分離器を、それぞれ配置し、上記導光板から射出される光を上記第１，第２の偏光分離器でそれぞれ２つの偏光した光に分離し、その各一方の偏光した光は第１の液晶パネル側へ射出し、各他方の偏光した光は第２の液晶パネル側へ射出するようにするとともに、上記光源を複数の発光素子で構成し、上記第１の液晶パネルで表示するときと第２の液晶パネルで表示するときとで、発光する発光素子の数を異ならせるようにしてもよい。
この場合、第１の偏光分離器と第２の偏光分離器は、互いにその透過偏光軸が直交し、第１の偏光分離器の透過偏光軸は第１の液晶パネルの該第１の偏光分離器に面する側の偏光板の透過偏光軸にほぼ一致し、第２の偏光分離器の透過偏光軸は第２の液晶パネルの該第２の偏光分離器に面する側の偏光板の透過偏光軸とほぼ一致するように配置するとよい。
そして、第２の液晶パネルの表示面積を第１の液晶パネルの表示面積より小さくし、その第１の液晶パネルで表示する場合には、複数の発光素子を全て発光させ、第２の液晶パネルで表示する場合には、複数の発光素子のうち該第２の液晶パネルの表示面積を照明するのに十分な個数だけを発光させるようにすればよい。
発明を実施するための最良の形態
以下、この発明の好ましい実施の形態を図面を使用して具体的に説明する。
〔第１の実施形態：第１図〜第４図〕
第１図はこの発明による液晶表示装置の第１の実施形態を示す模式的断面図である。
この第１図に示す液晶表示装置は、図で上から順に配置した第１の液晶パネル１０１、偏光分離器１１０、導光板１１２、および第２の液晶パネル１０２によって構成されている。したがって、この実施形態では、第１の液晶パネル１０１と導光板１１２との間にのみ偏光分離器１１０を設け、第２の液晶パネル１０２と導光板１１２との間には何も設けていない。
その第１の液晶パネル１０１は、２枚のガラス基板で液晶層を挟持してなる第１の液晶セル１０７と、その視認側Ａに配置した第１の偏光板１０３と、その反対側に配置した第２の偏光板１０５とから構成されている。さらに、図示はしていないが、第１の液晶セル１０７は、入射光の一部を透過させ残りを反射する半透過層を備えており、半透過型の液晶セルを構成している。
また、第２の液晶パネル１０２は、２枚のガラス基板で液晶層を挟持してなる第２の液晶セル１０８と、その導光板１１２側に配置した第３の偏光板１０４と、視認側Ｂに配置した第４の偏光板１０６とから構成されている。そして、導光板１１２の一端面１１２ｃに隣接して光源１１４を配置している。
次に各部位の詳細を説明する。第１から第４の偏光板は吸収型偏光板を用いている。吸収型偏光板は、ヨウ素や２色性色素を延伸したフィルムに染色して作成する一般的な偏光板であり、互いに直交する透過偏光軸と吸収軸を有し、その透過偏光軸方向に振動する光は透過し、吸収軸方向に振動する光は吸収する。
第１の液晶パネル１０１において、第１の偏光板１０３と第２の偏光板１０５は第１の液晶セル１０７に電圧を印加しない時に白表示となるように透過偏光軸の方向を調整して、液晶セル１０７に接着している。つまり、ノーマリホワイトモードに設定されている。また、第１の液晶パネル１０１では第１の液晶セル１０７内に半透過層を備えた半透過型液晶パネルとなっている。
第２の液晶パネル１０２も同様に、第３の偏光板１０４と第４の偏光板１０６を第２の液晶セル１０８に電圧を印加しない時に白表示となるように透過偏光軸を調整して、第２の液晶セル１０８に接着している。つまりノーマリホワイトモードに設定されている。
次に、第１の液晶パネル１０１と第２の液晶パネル１０２の間に配置した偏光分離器１１０について説明する。この偏光分離器１１０は、入射光を２つの偏光成分に分離する機能を有する。例えば、コレステリック液晶などにより円偏光成分を右円偏光成分と左円偏光成分に分離してλ／４板で直線偏光成分に変換する方式のものと、屈折率の異なる薄膜を積層して直線偏光成分を直交する２つの直線偏光成分に分離する方式のものがある。この実施形態では後者のものを使用している。この偏光分離器１１０は、入射する光の振動方向が互いに直交する一方の直線偏光成分を透過する透過偏光軸と、他方の直線偏光成分を反射する反射偏光軸とを有している。
ここで、この発明を実施するにあたり重要である第２の偏光板１０５と偏光分離器１１０と第３の偏光板１０４の光学的配置について詳細に説明する。
第３図はその各偏光板と偏光分離器の各偏光軸の配置関係を示す。第３図において各矢印はそれぞれの偏光軸を表しており、実線は透過偏光軸を点線は反射偏光軸を表している。
前述したように、偏光分離器１１０の透過偏光軸３０１と反射偏光軸３０２は互いに直交している。第２の偏光板１０５の透過偏光軸３０３を偏光分離器１１０の透過偏光軸３０１と平行に配置する。第３の偏光板１０４の透過偏光軸３０４は偏光分離器１１０の反射偏光軸３０２と平行に配置する。このとき、第２の偏光板１０５の透過偏光軸３０３と第３の偏光板１０４の透過偏光軸３０４は直交するようになる。
このように第２の偏光板１０５と第３の偏光板１０４と偏光分離器１１０を配置する。このときに各液晶パネル１０１，１０２がノーマリホワイトモードになるように、第１の偏光板１０３と第４の偏光板１０６を配置する。
次に、導光板１１２について第２図を用いて説明する。この導光板１１２は０．７ｍｍ厚の無色透明のアクリル素材から出来ている。表面１１２ａは平坦で、裏面にプリズム１１２ｂを形成し、表面１１２ａで全反射して導光した光がプリズム１１２ｂで反射して表面１１２ａに出射するような機能を有する。プリズム１１２ｂの形状は高さ２０μｍで、ピッチ３００μｍの３角形の山型に形成されている。
第２図において、光源１１４側から傾斜角αが４．６°の上り勾配の斜面を長さＬ１＝２４５μｍまで形成し、そこから傾斜角βが２０°の下り勾配の斜面を長さＬ２＝５５μｍまで形成する。このときのプリズム１１２ｂの高さＨは２０μｍになる。このプリズム１１２ｂを長手方向に０．３ｍｍピッチで繰り返し形成する。これらを射出成形法によって、できるだけ光学歪が起きないように成形する。
光源１１４は、導光板１１２の長手方向の一方（プリズム１１２ｂの長い方の斜面の低部側）の端面１１２ｃと密接するように配置している。この実施形態では光源１１４として白色ＬＥＤアレイを用いている。光源としては、これに限ったことではなく、冷陰極管を用いてもよい。導光板１１２の一端面１１２ｃに比較的均一な輝度分布で光を出射できる線光源であれば何れでもかまわない。
次に、この液晶表示装置の表示機能について、その模式的な断面による説明図である第４図を用いて説明する。
第４図において、光束４０１は光源１１４から出射する光束の一部とその軌跡を示している。光束４０２は光束４０１が偏光分離器１１０を透過した相当量と軌跡を示している。光束４０３は光束４０１が偏光分離器１１０で反射した相当量とその軌跡を示している。光束４０６、光束４０４はそれぞれ視認側Ａ、視認側Ｂから入射する外部光の一部を示している。光束４０７は光束４０６のうち第１の液晶パネル１０１内の半透過層で反射されて視認側Ａへ出射する相当量とその軌跡を示し、光束４０８は第１の液晶パネル１０１内の半透過層を透過して偏光分離器１１０側へ出射する光量の相当量とその軌跡を示している。光束４０５は光束４０４のうち第２の液晶パネル１０２を透過した相当量の光束とその軌跡を示している。
ここで、第４図の各光束を示す矢印において、網点部分は偏光の偏りのない状態、白部分は紙面に垂直な直線偏光成分のみを持つ状態、黒部分は紙面に平行な直線偏光成分のみを持つ状態をそれぞれ示している。
まず、光源１１４を点灯したときの表示機能について説明する。光源１１４から出射された光束４０１は導光板１１２に入射し、導光板１１２を全反射しながら導光していく。導光していく光路上でプリズムの短辺側に当たると全反射した光束が第１の液晶パネル１０１側に出射する。この光束４０１は光源１１４から出射したままで偏光の偏りがない光束である。導光板１１２から出射した光束４０１は偏光分離器１１０に入射し、偏光分離器１１０の透過偏光軸３０１と平行する偏光成分をもつ光束４０２が透過する。一方、偏光分離器１１０の反射偏光軸３０２と平行する偏光成分を持つ光束４０３は反射し、再び導光板１１２に入射する。
第２の偏光板１０５の透過偏光軸３０３は第３図に示したとおり偏光分離器１１０の透過偏光軸３０１と平行であるので、光束４０２は第２の偏光板１０５を透過する。さらに一部の光束は液晶セル１０７内に形成した半透過層を透過する。先に説明したように、第１の液晶パネル１０１はノーマリホワイトモードに設定していることから、光束４０２はそのまま視認側Ａに出射する。
このときに、視認側Ａでは光束４０２を視認することになり、第１の液晶パネル１０１の電圧制御により光束４０２を光源にして画像表示が可能になる。
一方、偏光分離器１１０で反射された光束４０３は再び導光板１１２に入射するが、導光板１１２は透明度が高く薄いアクリル板であるため吸収、反射、散乱することなく直線偏光状態を維持したまま導光板１１２から出射する。その後第３の偏光板１０４に入射する。第３図から第３の偏光板１０４の透過偏光軸３０４は偏光分離器１１０の反射偏光軸３０２と平行であるので、これも透過する。ここで第２の液晶パネル１０２もノーマリホワイトモードであるので、そのまま視認側Ｂに出射する。
このときに、視認側Ｂから視認すると、第２の液晶パネル１０２の電圧制御により光束４０３を光源にした画像表示が可能になる。
次に、光源１１４を点灯しない場合の表示機能について説明する。視認側Ｂから入射する外光の光束４０４は、第４の偏光板１０６の透過偏光軸３０４に平行な偏光成分のみが透過し、ノーマリホワイトモードにより第３の偏光板１０４も透過して導光板１１２に入射する。導光板１１２は透明な基板であるので、その直線偏光状態を維持したまま透過して偏光分離器１１０に入射する。このとき光束４０５の直線偏光方向は偏光分離器１１０の反射偏光軸３０２と一致するため、偏光分離器１１０で反射され、再び導光板１１２と第２の液晶パネル１０２を透過して視認側Ｂに出射する。
したがって、このときの視認状態は視認側Ｂからの外光の反射光を観察しており、第２の液晶パネル１０２の電圧制御により画像表示が可能となる。
視認側Ａから入射する外光の光束４０６は、第１の偏光板１０３の透過偏光軸３０３に平行な偏光成分のみが透過して内部の半透過層により反射し、光束４０７となって再び第１の偏光板１０３を透過して視認側Ａに出射される。なお、一部の光束４０８は内部の半透過層を透過し、液晶層で偏光方向が９０°回転されて第２の偏光板１０５も透過する。
したがって、このときの視認状態は視認側Ａからの外光の反射光を観察しており、第１の液晶パネル１０１の電圧制御により画像表示が可能となる。
このように、この実施形態の液晶表示装置では、光源１１４による画像表示と、視認側Ａからの外光および視認側Ｂからの外光のいずれによっても画像表示が可能である。このとき、第４図において光源１１４の光束４０１は偏光分離器１１０で２つの偏光成分に分離され、それぞれの直線偏光成分は損失することなく、第１，第２の液晶パネルの照明光となっていることがわかる。これにより、光源１１４は両面に配置する２つの液晶パネルを照明することが出来る。しかも、２つの液晶パネル１０１，１０２で利用できる光量は、それぞれ光源１１４の光量の５０％ずつであり、光源１１４の光量を１００％利用できることになる。
次に、外光での表示状態では、視認側Ａからの視認に関しては従来の半透過型液晶表示パネルと光路が全く同様であるため、同一の視認状態が得られる。視認側Ｂからの視認では、従来の半透過型液晶表示パネルよりも明るい表示が得られる。その理由は、従来のように半透過板が介在しないために外光の光束４０４の約半分が入射し、偏光分離器１１０で全て反射されて視認側に戻ってくる。したがって、反射時の反射率が高く明るい表示を得ることが出来る。透過時においても同様に半透過板が介在しないため、従来よりも明るい透過光が得られる。
また、この実施形態では、第１の液晶パネル１０１に半透過型のものを用いたが、透過型の液晶パネルでもかまわない。偏光分離器１１０で分離した偏光成分と第３の偏光板１０５と第４の偏光板１０４の関係が満たされていれば、いずれの液晶パネルでもこの発明の液晶表示装置に使用することができる。また、液晶パネルの駆動方式においても、パッシブマトリクス、アクティブマトリクスを問わないことは明白である。表示モードもノーマリホワイトモードで説明したが、ノーマリブラックモードでも同様に実施できる。
〔第２の実施形態：第５図，第６図〕
次に、この発明による液晶表示装置の第２の実施形態について説明する。第５図はその液晶表示装置の模式的断面図、第６図はその表示機能を説明するための模式的な断面による説明図である。
この第２の実施形態で第１の実施形態と異なるのは、導光板１１２と第２の液晶パネル１０２の間に半透過反射板１２０を配置した点と、第１の液晶パネル５０２には半透過層を設けていない点である。それ以外の構造と表示原理は第１の実施形態とほぼ同様である。以下、この第２の実施形態について詳細を説明する。
第５図において、導光板１１２と第２の液晶パネル１０２との間に半透過反射板１２０を配置している。この半透過反射板１２０は、偏光性を持たないハーフミラーのような光学素子であり、入射光の一部を透過させて残りを反射する。例えば入射光の２０〜４０％を透過させ、８０〜６０％を反射する。
そして、第１の液晶パネル５０２を構成する第１の液晶セル５０３は半透過層を備えていない透過型の液晶セルである。そのほかは、第１図の構成と同じであるから、それらの詳細な説明は省略する。
この液晶表示装置における、第２の偏光板１０５と偏光分離器１１０と第３の偏光板１０４の各偏光軸の配置関係は、第１の実施形態について第３図によって説明したのと同じである。また、第１、第２の液晶表示パネル５０２、１０２はノーマリホワイトモードになるように、その各偏光板１０３、１０５、１０４、１０６を配置している。
次に、この液晶表示装置における表示機能について第６図を用いて説明する。この第６図の各光束を示す矢印においても、網点部分は偏光の偏りのない状態、白部分は紙面に垂直な直線偏光成分のみを持つ状態、黒部分は紙面に平行な直線偏光成分のみを持つ状態をそれぞれ示している。
第６図において、光束７０１は視認側Ａから外光の光束４０６が入射した場合に第１の液晶パネル５０２および偏光分離器１１０を透過する相当量の光束とその軌跡を示し、光束７０２は、その光束７０１が半透過反射板１２０で反射されて視認側Ａへ出射する相当量の光束とその軌跡を示し、光束７０９は光束が半透過反射板１２０を透過する相当量の光束とその軌跡を示している。
光束７０４は、光源１１４から導光板１１２に入射して全反射されて偏光分離器１１０に達し、そこで反射された光束７０３のうち、半透過反射板１２０を透過する相当量の光束とその軌跡を示し、光束７０５は光束７０３のうち半透過反射板１２０で反射される相当量の光束とその軌跡を示している。
光束７０６は、視認側Ｂから入射する外光の光束４０４が第２の液晶パネル１０２を透過した相当量の光束を示し、光束７０７は光束７０６が半透過反射板１２０で反射されて視認側Ｂへ出射する相当量の光束とその軌跡を示し、光束７０８は光束７０６が半透過反射板１２０を透過する相当量の光束とその軌跡を示している。
光束４０１の内、偏光分離器１１０の透過偏光軸３０１（第３図）に平行する成分を持つ光束７００は偏光分離器１１０を透過し、第２の偏光板１０５も透過する。そして、この実施形態では第１の液晶セル５０３内には半透過層が存在しないので、光束７００は光量を減少させることなく視認側Ａに出射する。一方、偏光分離器１１０の反射偏光軸３０２（第３図）と平行する偏光成分を持つ光束７０３は反射されて、再び導光板１１２を透過して半透過反射板１２０に入射する。このとき光束７０３の直線偏光成分の一部は半透過反射板１２０を透過し、光束７０４となって第３の偏光板１０４に入射する。
第３図から判るように、第３の偏光板１０４の透過偏光軸３０４と偏光分離器１１０の反射偏光軸３０２とが平行であるので、光束７０４は第３の偏光板１０４を透過する。ここで第２の液晶パネル１０２はノーマリホワイトモードであるので、光束７０４はそのまま視認側Ｂに出射する。半透過反射板１２０で反射された光束７０５も、偏光分離器１１０でその殆ど全てが反射され、再び半透過反射板１２０に戻されて、その一部が透過して残りが反射されることを繰り返すことにより、光量の殆どが視認側Ｂに出射される。したがってこのとき、光源１１４の発光による光と第２の液晶パネル１０２の電圧制御により画像表示が可能となる。
視認側Ｂから入射する外光の光束４０４は、第４の偏光板１０６の偏光成分のみが透過し光束７０６となってノーマリホワイトモードにより第３の偏光板１０４も透過し、半透過反射板１２０に入射する。このとき半透過反射板１２０により一部の光束７０８は透過するがほとんど光束７０７は反射し、再び第２の液晶パネル１０２に入射し視認側Ｂに出射する。
したがって、このときの視認状態は、視認側Ｂから入射する外光の反射光を観察しており、第２の液晶パネル１０２の電圧制御により画像表示が可能となる。
視認側Ａから入射する外光の光束４０６は、第１の偏光板１０３を透過して光束７０１となってノーマリホワイトモードにより第２の偏光板１０５も透過し、偏光分離器１１０に入射する。このとき偏光分離器１１０の透過偏光軸３０１（第３図）と光束７０１の偏光方向が平行なので、これも透過して導光板１１２に入射する。導光板１１２は透明な基板であるので直線偏光状態を維持したまま透過して半透過反射板１２０に入射する。
このとき光束７０１の一部は半透過反射板１２０を透過して光束７０９となるが、第２の液晶パネル１０２の第３の偏光板１０４の吸収軸に平行な直線偏光であるため、そこで殆ど吸収される。そして、光束７０１のほとんどは半透過反射板１２０で反射され、光束７０２となって再び偏光分離器１１０と第１の液晶パネル５０２を透過して視認側Ａに出射する。したがって、このときの視認状態は視認側Ａからの外光の反射光を観察しており、第１の液晶パネル５０２の電圧制御により画像表示が可能となる。
以上のように本実施の形態では、光源１１４による画像表示と視認側Ａからの外光の光束４０６、視認側Ｂからの外光の光束４０４のいずれによっても画像表示が可能である。このとき、第６図において光源１１４の光束４０１は偏光分離器１１０で２つの偏光成分に分離されて、それぞれの直線偏光成分は損失することなく第１と第２の液晶パネル５０２，１０２の光源となっていることがわかる。これにより、光源１１４は両面に配置する２つの液晶パネルを照明することが出来る。
次に、外光での表示状態では、視認側Ａからの視認では、従来の半透過型液晶表示パネルと異なり、導光板１１２を挟んで配置している半透過反射板１２０で反射した光束を利用して視認している。従って反射時の反射率が高く明るい表示を得られる。
また、半透過反射板１２０と偏光板１０４の代りに、半透過吸収板と反射型偏光板とを配置してもよい。例えば、３Ｍ社製のＴＤＦ（商品名）は、半透過吸収板と反射型偏光板が一体になっており、そのままこの位置に置き換えることができる。この場合には、同様にその透過軸を第１の偏光分離器１１０の透過軸に一致させる。また、視認側Ａからの外光の光束４０６を利用して表示を視認する際に、光束７０２の光量が減少してしまうため、第１の実施形態で用いたように、第１の液晶パネル５０２には反射性のある半透過層を備えたものを用いると良好な視認を得ることができる。
なお、このように構成した場合には、第２の液晶パネル１０２の上側には第３の偏光板１０４（吸収型偏光板）を設けなくてもよい。
これらの実施形態でも、液晶パネルの駆動方式において、パッシブマトリクス、アクティブマトリクスを問わないことは明白である。表示モードもノーマリホワイトモードで説明したが、ノーマリブラックモードでも同様に実施できる。
〔第３の実施形態：第７図、第８図〕
次に、この発明による液晶表示装置の第３の実施形態について説明する。第７図はその導光板と光源の側面図、第８図はその液晶表示装置の表示機能を説明するための模式的な断面による説明図である。
この第３の実施形態において、上述した第２の実施形態と異なる点は、導光板のみである。第１、第２の実施形態では導光板１１２には、アクリル板の一方の面に数ミクロンのプリズムを一定ピッチで形成したものを使用した。このような導光板は一般に高い加工精度が要求される。この第３の実施形態では、一般的に製造が容易で歩留まりも向上し、簡単な加工で製造できる導光板を使用する。
その導光板８０１は第７図に示すように、アクリル素材にビーズを混ぜて散乱性能を持たせた素材を、薄いくさび形に成形したものである。光源１１４は前述の各実施形態と同様に、ＬＥＤアレイを使用し、その発光による光を導光板８０１の長手方向の厚さの厚い方の端面８０１ｃから入射させる。この導光板８０１の特徴は、光源１１４から入射する光束を導光しながらビーズ８０１ａとアクリルの屈折率差により散乱し、上下両方向に出射する点である。
この実施形態の液晶表示装置の構造は、第５図における導光板１１２を第７図に示した導光板８０１と置き換えただけであるので、その構造の説明は省略する。
第８図を用いてその表示機能について説明する。この第８においても、各矢印の違いによる意味は第４図について説明したとおりである。
第８図における導光板８０１は、光源１１４からの光を一端面８０１ｃから入射させて、他端面の方向に導光しなから、前述のように上下両方向に出射する。すなわち、光源１１４から入射した光束４０１は、散乱して偏光分離器１１０の方向に光束４０１ａを出射すると同時に半透過反射板１２０の方向にも光束４０１ｂを出射する。このとき光束４０１ａは第２の実施形態と同様にして２つの液晶パネルの照明光となる。一方、光束４０１ｂは一部の光束９００が半透過反射板１２０を透過し、第２の液晶パネル１０２の照明光となる。半透過反射板１２０で反射された光束９０１は再び導光板８０１に戻る。その導光板８０１を透過して偏光分離器１１０に入射すると、透過偏光軸に平行な偏光成分は透過して第１の液晶パネル５０２の照明光となり、反射偏光軸に平行な偏光成分は反射されて再び導光板１２０を透過して半透過反射板１２０に戻される。これを繰り返しながら、光束９０１のうち偏光分離器１１０の透過偏光軸又は第３の偏光板１０４の偏光軸のと平行な成分を持つが透過して、第１の液晶パネル５０２又は第２の液晶パル１０２の照明光として利用される。
このように、導光板８０１の上下面から出射する光束４０１ａ，４０１ｂは、いずれも吸収されることなく、それぞれが２つの液晶パネル５０２，１０２の照明光として利用される。視認側Ａから外光の光束４０６が、視認側Ｂから外光の光束４０４がそれぞれ入射した場合の機能は、第２の実施形態と同様であるのでその説明を省略する。
なお、この実施形態では導光板８０１の素材にビーズ入りのアクリル素材を使用したが、これに限るものではない。この実施形態の導光板８０１としては、一般的なほとんどの導光板をそのまま利用できる。たとえば、透明板の両面または片面にエンボス加工を施して散乱させる方式のものや、くさび形状に印刷を施して輝度むらを補正する方式のものなどのもそのまま利用できる。
〔第４の実施形態：第９図〕
次に、この発明による液晶表示装置の第４の実施形態について説明する。第９図はその液晶表示装置の概略を偏光分離器あるいはそれと半透過反射板を省略して示す斜視図である。
この第４の実施形態は、基本的な構成は第１乃至第３の実施形態のいずれの構成でも実現可能であるが、ここでは第１の実施形態と同様な構造のものとして説明する。
第１の実施形態の液晶表示装置と異なるのは、第２の液晶パネル１０２の大きさ（この例では幅）を第１の液晶パネルより小さくしたことである。それによって、第２の液晶パネル１０２の表示面積を第１の液晶パネルの表示面積より小さくしている。
この場合、第２の液晶パネル１０２は第１の液晶パネル１０１の補助的な役割に使用するため（第１３図の従来例で説明した液晶表示装置１１０２と同様に）、その大きさが比較的小さくてよい場合が多い。このときに第１の実施形態では、光源１１４は大きい方の第１の液晶パネル１０１の表示面積に合わせて照射するため、表示面積の小さい第２の液晶パネル１０２で表示する場合には無駄になる光が多い。第２の液晶パネル１０２は補助的に使用されるために消費電力のさらなる低減も必要である。
そこで、この実施形態では不要な部分の光源を消灯することにより無駄な消費電力を低減するようにしている。
第９図において、第１の液晶パネル１０１は第１の実施形態と同じ半透過型の液晶パネルを採用している。第２の液晶パネル１０２は第１の実施形態と同一構造であるが、パネルの大きさが異なる。すなわち、第１の液晶パネル１０１と長辺方向は同一寸法であるが、短辺方向の幅は約１／３にした細長い形状の液晶パネルである。この第２の液晶パネル１０２は補助液晶パネルとして１０×１００ドット程度の画素数で構成され、主に時刻、使用者への簡易情報の伝達に使用する。導光板１１２の端面１１２ｃに近接する光源１１４は、３個の発光素子、この例では発光ダイオード（ＬＥＤ）であるＬＥＤ１１，１２，１３で構成している。光束１５〜１７は各ＬＥＤから導光板１１２に出射する光束を示す。
第９図において、視認側Ａから第１の液晶パネル１０１を視認する場合には、光源１１４のうち３個のＬＥＤ１１〜１３をすべて点灯する。このとき、導光板１１２は端面１１２からその光束１５〜１７を全て入射し、全面にわたり導光するとと共に第４図によって説明したように光束４０１の経路で導光板から出射して、光束４０２のように第１の液晶パネル１０１の照明光となる。
次に、視認側Ｂから第２の液晶パネル１０２を視認する場合には、光源１１４の３個のＬＥＤのうち、両側のＬＥＤ１１とＬＥＤ１３を消灯して、中央のＬＥＤ１２を１個だけ点灯する。このときに、第９図に示す各ＬＥＤから出射される光束１５〜１７の内、光束１６のみが出射して導光板１１２に入射する。導光板１１２内では、入射した光束は第４図に示した光束４０１の軌跡で出射する。このときに光束４０１はＬＥＤ１２の照射範囲でしか存在しない。第９図においては導光板１１２の中央を中心に全幅の３／１の幅の範囲すなわち全面積の１／３程度の面積を照射することになる。導光板１１２は透明な素材であるため入射光は比較的まっすぐすすむのでほぼ均一に１／３の幅の部分を照射することが可能である。
第４図で説明したように、光束４０１は偏光分離器１１０で反射されて光束４０３となって第２の液晶パネル１０２の照明光となる。このとき第２の液晶パネル１０２は画面中央部に配置されているので、ほぼ全面が均一に照射され、視認側Ｂでは明るい表示を視認できる。この場合に点灯しているＬＥＤは１個であるため、消費電力は３個のＬＥＤを全て点灯する場合の１／３に減少する。
この実施形態では、ＬＥＤの個数を３個にしたが個数はこれに限定することはない。それぞれの液晶パネルの大きさに合わせて所望の特性が得られるように設定すればよい。また、複数の発光素子はＬＥＤに限るものではなく、ミニランプ、ＥＬ素子、その他種々の発光素子を使用することができる。その場合でも複数の発光素子を選択して点灯することにより、この実施形態と同様の効果を得ることが出来る。
また、上述の説明では第１の実施形態と同様な構造の液晶表示装置に適用した場合を例に説明したが、第２，第３の実施形態と同様な構造の液晶表示装置に適用しても同様な効果が得られることは勿論である。
〔第５の実施形態：第１０図〜第１２図〕
次に、この発明による液晶表示装置の第５の実施形態について説明する。
第１０図はその液晶表示装置の表示機能を説明するための第８図と同様な模式的な断面による説明図、第１１図はその構造の概略を２枚の偏光分離器を省略して示す斜視図、第１２図は第１０図における第２，第３の偏光板と第１，第２の偏光分離器の各偏光軸の配置関係を示す説明図である。
この液晶表示装置の構成は、第８図に示した第３の実施形態の液晶表示装置と殆ど共通しているが、第２の液晶パネル１０２と導光板８０１との間に、半透過反射板１２０に代えて、偏光分離器１１０と同様な反射偏光軸と透過偏光軸とをもつ第２の偏光分離器１３０を配置している。偏光分離器１１０は、前述の各実施形態のものと同じであるが、第２の偏光分離器１３０との関係で、以下「第１の偏光分離器」と称する。
また、第１１図に示すように、第２の液晶パネル１０２の幅を第１の液晶パネル５０２の幅の１／３程度に細くして、第２の液晶パネル１０２の表示面積を第１の液晶パネル５０２の１／３程度にしている。そして、光源１１４を複数の発光素子である３個のＬＥＤ１１〜１３で構成しており、第９図に示した第４の実施形態と、導光板１１２をくさび型の導光板８０１に代え、第１の液晶パネル１０１を半透過層を設けない液晶パネル５０２に代えた他は、同様な構成になっている。
ここで、この実施形態の液晶表示装置における第２の偏光板１０５、第１の偏光分離器１１０、および第３の偏光板１０４の光学的配置について第１２図によって説明する。この第１２図は第３図と同様な図であり、第３図と同じ偏光軸には同一の符号を付してあり、それらの説明は省略する。但し、３０１は第１の偏光分離器１１０の透過偏光軸、３０２はその反射偏光軸である。
ここでは、新たに第２の偏光分離器１３０の透過偏光軸３０５とそれに直交する反射偏光軸３０６を示している。この第１２図に示すように、第２の偏光分離器１３０は、透過偏光軸３０５および反射偏光軸３０６がそれぞれ第１の偏光分離器１１０の透過偏光軸３０１及び反射偏光軸と直交するように配置している。
したがって、第２の偏光板１０５の透過偏光軸３０３は第１の偏光分離器１１０の透過偏光軸３０１と平行になり、第３の偏光板１０４の透過偏光軸３０４は第２の偏光分離器１３０の透過偏光軸３０５と平行になる。このとき、第２の偏光板１０５の透過偏光軸３０３と第３の偏光板１０４の透過偏光軸３０４は直交するようになる。以上のように、各偏光板と各偏光分離器を配置する。このときに各液晶表示パネル１０２，５０２はノーマリホワイトモードになるように、第１の偏光板１０３および第４の偏光板１０６を配置する。
第１０図に示すこの実施形態の表示機能において、第８図によって説明した第３の実施形態の表示機能と相違するのは、第２の偏光分離器１３０に入射する光束は、その透過偏光軸３０５に平行な振動方向の直線偏光成分は透過し、反射偏光軸３０６に平行な振動方向の直線偏光成分は反射する点である。
したがって、第１０図において、光源１１４から導光板８０１に入射した光束４０１のうち、第１の偏光分離器１１０側に出射する光束４０１ａは、その透過偏光軸と平行な偏光成分は透過して光束７００となってノーマリホワイトモードの第１の液晶パネル５０２も透過して視認側Ａへ出射する。また、第１の偏光分離器１１０の反射偏光軸と平行な偏光成分は反射されて光束７０３となり、導光板８０１を透過し、第２の偏光分離器１３０もその透過偏光軸と平行な直線偏光なので透過し、ノーマリホワイトモードの第２の液晶パネル１０２も透過して、視認側Ｂに出射する。
入射した光束４０１のうち、第２の偏光分離器１３０側に出射する光束４０１ｂは、第２の偏光分離器１３０によって、同様にその透過偏光軸に平行な偏光成分の光束９０３と反射偏光軸と平行な偏光成分の光束９０４に分割され、それぞれ視認側Ｂ又は視認側Ａへ出射する。
視認側Ｂから入射する光束４０４のうち、第２の液晶パネル１０２を透過した光束７０６は、全て第２の偏光分離器１３０を透過し、第１の偏光分離器１１０で反射されて戻され、視認側Ｂへ出射する。
視認側Ａから入射する光束４０６のうち、第１の液晶パネル５０２を透過した光束７０１は、全て第１の偏光分離器１１０を透過し、第２の偏光分離器１３０で反射されて戻され、視認側Ａへ出射する。
したがって、第８図によって説明した第３の実施形態の場合と同様に、光源１１４の点灯による光によっても、視認側Ａ又はＢからの入射光によっても、各液晶パネル５０２，１０２による表示を行うことができ、しかもより明るい表示が可能である。
そして、第１１図に示す光源１１４を構成する複数の発光素子であるＬＥＤ１１〜１３を第１，第２の液晶パネル５０２，１０２のうち、表示に使用する方の表示面積に応じて全部または一部のＬＥＤのみを点灯することによって、充分に明るい表示を実現しながら消費電力の低減を図ることができる。
この場合も、第４の実施形態の説明の後で述べた種々変更を、同様になし得ることは勿論である。
産業上の利用可能性
以上の説明してきたように、この発明によれば、２枚の液晶パネルを背合わせに配置して両面表示を可能にした液晶表示装置において、その厚さを薄くして、それを装備する電子機器の携帯性を高めることができるとともに、バックライトの光の利用効率を高めて消費電力を低減することができる。特に光源を複数の発光素子で構成し、表示する方の液晶パネルの表示面積に応じてその発光個数を変えるようにすれば、消費電力の一層の低減が可能になる。
この発明による液晶表示装置は、折り畳み式の携帯電話器の表示部や、各種携帯用の電子機器で特に両面表示を行うことが望まれる電子機器の表示装置として、好適である。
【図面の簡単な説明】
第１図は、この発明による液晶表示装置の第１の実施形態を示す模式的断面図である。
第２図は、第１図における光源と導光板の一部を拡大して示す斜視図である。
第３図は、第１図における第２，第３の偏光板と偏光分離器の各偏光軸の配置関係を示す説明図である。
第４図は、第１図に示した液晶表示装置における表示機能を説明するための模式的な断面による説明図である。
第５図は、この発明による液晶表示装置の第２の実施形態を示す模式的断面図である。
第６図は、第５図に示した液晶表示装置における表示機能を説明するための模式的な断面による説明図である。
第７図は、この発明による液晶表示装置の第３の実施形態に使用する導光板と光源のみを示す側面図である。
第８図は、この発明による液晶表示装置の第３の実施形態における表示機能を説明するための模式的な断面による説明図である。
第９図は、この発明による液晶表示装置の第４の実施形態の概略を偏光分離器あるいはそれと半透過反射板を省略して示す斜視図である。
第１０図は、この発明による液晶表示装置の第５の実施形態のその液晶表示装置の表示機能を説明するための第８図と同様な説明図である。
第１１図は、同じくその構造の概略を２枚の偏光分離器を省略して示す斜視図である。
第１２図は、第１０図における第２，第３の偏光板と第１，第２の偏光分離器の各偏光軸の配置関係を示す説明図である。
第１３図は、従来の両面表示の液晶表示装置を備えた携帯電話器の構成例を示す模式的な断面図である。
【図１】
2003029884.tif 000003
【図２】
2003029884.tif 000004
【図３】
2003029884.tif 000005
【図４】
2003029884.tif 000006
【図５】
2003029884.tif 000007
【図６】
2003029884.tif 000008
【図７】
2003029884.tif 000009
【図８】
2003029884.tif 000010
【図９】
2003029884.tif 000011
【図１０】
2003029884.tif 000012
【図１１】
2003029884.tif 000013
【図１２】
2003029884.tif 000014
【図１３】
2003029884.tif 000015
【国際調査報告】
2003029884.tif 000016
2003029884.tif 000017
2003029884.tif 000018
2003029884.tif 000019